(57)【要約】【課題】容易に元糸から水平方向に疑餌針を設置でき、オドリのよい枝釣り用イカ針を提供する。【解決手段】元糸の任意の位置を折り曲げてループ状に構成し、これを釣り具内部に導入し、元糸の上下方向の張力でイカ釣り針を水平方向に設置する。【選択図】  図２
2005073689.tif 000002
【特許請求の範囲】
【請求項１】
一本の釣り糸の所要部分をイカ釣り針の開口部一端からＵ字状に折り曲げて引き込み、当該釣り糸のＵ字状折り曲げ部をイカ釣り針本体内部で芯棒部７に引っかける事により、釣り糸上下の張力でイカ釣り針が水平方向を向く事を特徴とする枝釣り用イカ釣り針。
【請求項２】
釣り糸導入口に設けられたパイプ８内部に、傘針９内部を貫通して設けられた針金７よりなる芯棒が釣り糸のループ部５を有したまま挿入されて、互いに重複する一本の芯棒となることにより容易に曲がることのない芯棒体を構成する枝釣り用イカ釣り針。
【発明の詳細な説明】
【発明の詳細な説明】
【技術分野】
【０００１】本発明はイカ一本釣りに於いて、元糸となる釣り糸の所要位置に、横方向に疑餌針を設置する「枝釣り」と称する漁法に用いる疑餌針に関するものである。
【背景技術】
【０００２】従来の枝釣りにおいては、元糸の所要位置により細い釣り糸を結びつけて、しかる後この枝糸の端に木製等の浮力を有する疑餌を結びつけて行うものであった。
【発明が解決しようとする課題】
【０００４】枝釣りにおいては、疑餌部分が浮力を有する素材でないと枝状に設置した疑餌針が横方向に浮かず、用をなさなかった。このため、合成樹脂などの素材で疑餌針を作ると、内部に浮力部を構成する必要があり、繁雑であった。
【０００４】また、枝糸が長すぎると、潮の流れなどにより元糸に当該枝糸が絡むことがあり、不便であった。
【０００５】元糸を上下に揺すり（シャクリという）、疑餌に魚に類した動きを与えようとすると、枝糸以上の距離をシャクってやらないと十分な誘魚効果を呈することが出来なかった。
【０００６】元糸上の所要位置に、別途の枝糸を結びつけるという釣り糸同士の結びつけ作業には熟練した技術を要し、繁雑であった。
【課題を解決するための手段】
【０００７】上記の問題点を解決するために、本発明では元糸１の所要位置をＵ字型に折り曲げ、これを枝糸として用い、疑餌針の一端に釣り糸導入口１３を設けるのである。
【０００８】当該釣り糸導入口１３を通して疑餌針本体内部に元糸１を引き込んだ後、このＵ字状のループ部５を疑餌針の一部に引っかけるのである。
【０００９】かかる構造で構成した本発明の疑餌針は、元糸１の下端に錘４を有し、さらにこの元糸を釣り手が引っ張ることで疑餌針は互いの張力で横方向を向くのである。
【発明を実施するための最良の形態】
【００１０】以下、本発明の実施の形態を実施例にもとづき、図面を参照して説明する。
図１は、従来の枝釣りを説明する参考図である。従来は図にあるような元糸１と１０ｃｍ〜１５ｃｍ程度の細い枝糸２よりなり、元糸１の所要位置に逐次枝糸２を結びつけ、当該枝糸２の端部に浮きスッテと称する浮力のある疑餌針８を取り付けて用いた。【００１１】図２（ａ）、（ｂ）は、元糸のＵ字状折り曲げ５とこれを本発明の疑餌針内部に引き込む様を表す。このようにして釣り糸導入口に導かれた元糸１のループ５は、疑餌部に設けられたフック７に引っかけられて、枝糸となり疑餌内部に取り付けられるのである。【００１２】図３に見られるように、本発明の疑餌針は元糸１の上下の引っ張りによる張力で枝釣り様に横を向くのである。【００１３】また、図７に見られるようにＵ字状ループ部５を結ぶことにより不慮の滑りを防止することもある。同時に図８のようにゴムチューブ１１あるいは噛み潰しと呼ばれる小型の鉛錘１２を用いて、元糸上のループ位置を変更すると共により強固なループ部の固定を図ることも有用である。【００１４】図６に見られるように、釣り糸導入口１３を貫通してなるパイプ８の内部に、元糸１のループ５を引っかけた針金７よりなる芯棒が挿入され、パイプ８と針金芯棒７が重複して構成されるのである。
【発明の効果】
本発明は、以上説明したように構成されているので、以下に記載されるような効果を奏する。
【００１５】元糸と枝糸を互いに結びつける作業が不要となり、女性、子供でも容易に枝釣りの仕掛けをなす事ができるのである。
【００１６】疑餌針本体に浮力を持たせることなく、釣り糸の張力により、元糸に対し水平方向に向かせる事が可能となる。このため浮力構造を疑餌内部に設ける必要がない。
【００１７】元糸に対し、枝糸が絡みつく不備を解消できるのである。
【００１８】元糸が疑餌針内部に導入されて、張力により疑餌針を支えているので、元糸へのわずかなシャクリ行動でも、敏感な疑餌の踊りを呈することが出来るのである。
【００１９】釣り糸導入口を貫通してなるパイプの内部に、元糸のループを引っかけた針金よりなる芯棒が挿入されているので、疑餌本体を手で持って、傘針上のつり上げたイカを振り外しても、疑餌針本体があたかも一本の芯棒体で構成されたような効果をなし、イカの重みで疑餌本体が曲がることなく、容易にイカを外せるのである。
【図面の簡単な説明】
【図１】従来技術による「枝釣り」を説明する参考図である。
【図２】本発明の構造を説明する参考図である。  図の（ａ）、（ｂ）は、元糸の任意の箇所をループ状に取り出す様を示す。
【図３】本発明の使用状況を説明する一部透視の参考図である。
【図４】本発明の使用状況を示す参考図である。
【図５】元糸のループ部と針金のフック部の接合を示す斜視図である。
【図６】請求項２の本発明を示す一部断面の構造図である。  図中８のパイプと７の針金は当該パイプ８内部で挿入されて、一体となっている。
【符号の説明】
１    元糸
２    枝糸
３    疑餌針
４    錘
５    ループ部
６    本発明の疑餌針
７    針金よりなる芯棒とフック
８    パイプ
９    傘針
１０    ループ部の結び目
１１    滑り止めのチューブ
１２    噛み潰し鉛
１３    釣り糸導入口
【図１】
2005073689.tif 000003
【図２】
2005073689.tif 000004
【図３】
2005073689.tif 000005
【図４】
2005073689.tif 000006
【図５】
2005073689.tif 000007
【図６】
2005073689.tif 000008
【図７】
2005073689.tif 000009
【図８】
2005073689.tif 000010
【図９】
2005073689.tif 000011
【手続補正書】
【提出日】平成16年1月7日(2004.1.7)
【手続補正１】
【補正対象書類名】明細書
【補正対象項目名】全文
【補正方法】変更
【補正の内容】
【発明の詳細な説明】
【技術分野】
【０００１】    本発明はイカ一本釣りに於いて、元糸となる釣り糸の所要位置に、横方向に疑餌針を設置する「枝釣り」と称する漁法に用いる疑餌針に関するものである。【０００２】
【背景技術】従来の枝釣りにおいては、元糸の所要位置により細い釣り糸を結びつけて、しかる後この枝糸の端に木製等の浮力を有する疑餌を結びつけて行うものであった。【０００３】
【発明が解決しようとする課題】
枝釣りにおいては、疑餌部分が浮力を有する素材でないと枝状に設置した疑餌針が横方向に浮かず、用をなさなかった。このため、合成樹脂などの素材で疑餌針を作ると、内部に浮力部を構成する必要があり、繁雑であった。
【０００４】また、枝糸が長すぎると、潮の流れなどにより元糸に当該枝糸が絡むことがあり、不便であった。
【０００５】元糸を上下に揺すり（シャクリという）、疑餌に魚に類した動きを与えようとすると、枝糸以上の距離をシャクってやらないと十分な誘魚効果を呈することが出来なかった。
【０００６】元糸上の所要位置に、別途の枝糸を結びつけるという釣り糸同士の結びつけ作業には熟練した技術を要し、繁雑であった。
【０００７】
【課題を解決するための手段】
上記の問題点を解決するために、本発明では元糸１の所要位置をＵ字型に折り曲げ、これを枝糸として用い、疑餌針の一端に釣り糸導入口１３を設けるのである。
【０００８】当該釣り糸導入口１３を通して疑餌針本体内部に元糸１を引き込んだ後、このＵ字状のループ部５を疑餌針の一部に引っかけるのである。
【０００９】かかる構造で構成した本発明の疑餌針は、元糸１の下端に錘４を有し、さらにこの元糸を釣り手が引っ張ることで疑餌針は互いの張力で横方向を向くのである。
【００１０】
【発明を実施するための最良の形態】以下、本発明の実施の形態を実施例にもとづき、図面を参照して説明する。
図１は、従来の枝釣りを説明する参考図である。従来は図にあるような元糸１と１０ｃｍ〜１５ｃｍ程度の細い枝糸２よりなり、元糸１の所要位置に逐次枝糸２を結びつけ、当該枝糸２の端部に浮きスッテと称する浮力のある疑餌針３を取り付けて用いた。【００１１】図２（ａ）、（ｂ）は、元糸のＵ字状折り曲げ５とこれを本発明の疑餌針内部に引き込む様を表す。このようにして釣り糸導入口に導かれた元糸１のループ５は、疑餌部に設けられたフック７に引っかけられて、枝糸となり疑餌内部に取り付けられるのである。【００１２】図３に見られるように、本発明の疑餌針は元糸１の上下の引っ張りによる張力で枝釣り様に横を向くのである。【００１３】また、図７に見られるようにＵ字状ループ部５を結ぶことにより不慮の滑りを防止することもある。同時に図８のようにゴムチューブ１１あるいは噛み潰しと呼ばれる小型の鉛錘１２を用いて、元糸上のループ位置を変更すると共により強固なループ部の固定を図ることも有用である。【００１４】図６に見られるように、釣り糸導入口１３を貫通してなるパイプ８の内部に、元糸１のループ５を引っかけた針金７よりなる芯棒が挿入され、パイプ８と針金芯棒７が重複して構成されるのである。
【発明の効果】
本発明は、以上説明したように構成されているので、以下に記載されるような効果を奏する。
【００１５】元糸と枝糸を互いに結びつける作業が不要となり、女性、子供でも容易に枝釣りの仕掛けをなす事ができるのである。
【００１６】疑餌針本体に浮力を持たせることなく、釣り糸の張力により、元糸に対し水平方向に向かせる事が可能となる。このため浮力構造を疑餌内部に設ける必要がない。
【００１７】元糸に対し、枝糸が絡みつく不備を解消できるのである。
【００１８】元糸が疑餌針内部に導入されて、張力により疑餌針を支えているので、元糸へのわずかなシャクリ行動でも、敏感な疑餌の踊りを呈することが出来るのである。
【００１９】釣り糸導入口を貫通してなるパイプの内部に、元糸のループを引っかけた針金よりなる芯棒が挿入されているので、疑餌本体を手で持って、傘針上のつり上げたイカを振り外しても、疑餌針本体があたかも一本の芯棒体で構成されたような効果をなし、イカの重みで疑餌本体が曲がることなく、容易にイカを外せるのである。
【図面の簡単な説明】
【図１】従来技術による「枝釣り」を説明する参考図である。
【図２】本発明の構造を説明する参考図である。図の（ａ）、（ｂ）は、元糸の任意の箇所をループ状に取り出す様を示す。
【図３】本発明の使用状況を説明する一部透視の参考図である。
【図４】本発明の使用状況を示す参考図である。
【図５】元糸のループ部と針金のフック部の接合を示す斜視図である。
【図６】請求項２の本発明を示す一部断面の構造図である。図中８のパイプと７の針金は当該パイプ８内部で挿入されて、一体となっている。
【図７】本発明の使用状況を説明する参考図にして、図中、引き込まれた釣り糸のループ部５は結ばれて結び目１０を構成している。
【図８】本発明の使用状況を説明する参考図である。図中、引き込まれた釣り糸のループ部外周に滑り止めのチューブ１１が設けられ、釣り糸の滑り止めを果たしている一実施例である。
【図９】図中（ａ）、（ｂ）は、本発明の使用状況を説明する参考図で、それぞれ釣り糸のループ部５、釣り糸１の所要の位置に鉛等の鉛錘１２を設け、釣り糸の滑りを防止している実施例である。
【符号の説明】
１    元糸
２    枝糸
３    疑餌針
４    錘
５    ループ部
６    本発明の疑餌針
７    針金よりなる芯棒とフック
８    パイプ
９    傘針
１０    ループ部の結び目
１１    滑り止めのチューブ
１２    噛み潰し鉛
１３    釣り糸導入口